(57)【要約】【課題】通気カバーの装着を容易にし、誤装着を防止すること。【解決手段】通気カバー７の形状を表裏、前後、左右の各方向においてそれぞれ対称形状とし、通気カバー７四隅の外周縁７ｂがトッププレート２に設けた位置決め部材８と嵌合する装着構成とし、装着方向に迷うことなく、容易かつ正確に装着することができることとなる。【選択図】図１
2009301990.tif 000002
【特許請求の範囲】
【請求項１】
加熱手段と、前記加熱手段を制御する制御ユニットと、前記制御ユニットを操作する操作ユニットとを備えた本体と、前記本体上部に被加熱物を載置するトッププレートを設け、前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの前後の中心軸に対して回転対称形状としたことを特徴とする加熱調理器。
【請求項２】
加熱手段と、前記加熱手段を制御する制御ユニットと、前記制御ユニットを操作する操作ユニットとを備えた本体と、前記本体上部に被加熱物を載置するトッププレートを設け、前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの左右の中心軸に対して回転対称形状としたことを特徴とする加熱調理器。
【請求項３】
加熱手段と、前記加熱手段を制御する制御ユニットと、前記制御ユニットを操作する操作ユニットとを備えた本体と、前記本体上部に被加熱物を載置するトッププレートを設け、前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの前後の中心軸に対して回転対称形状とし、かつ、左右の中心軸に対しても回転対称形状としたことを特徴とする加熱調理器。
【請求項４】
通気カバーをトッププレートに設けた防振性材料からなる位置決め部材に載置し、前記通気カバー四隅の外周縁が前記位置決め部材に嵌合し、前記通気カバーと前記トッププレートとが直接触れない構成とした請求項１〜３のいずれかに記載の加熱調理器。
【請求項５】
通気カバーをトッププレートに設けた防振性材料からなる位置決め部材に載置し、前記通気カバーに設けた複数の位置決め孔が前記位置決め部材に設けた複数の位置決め凸部に嵌合し、前記通気カバーと前記トッププレートとが直接触れない構成とした請求項１〜３のいずれかに記載の加熱調理器。
【請求項６】
通気カバーの一部に、他方より上方へ突出する壁を設けた請求項１〜５のいずれかに記載の加熱調理器。
【請求項７】
同一形状の通気カバーを複数個備えた、請求項１〜６のいずれかに記載の加熱調理器。
【請求項８】
通気カバーに、撥水性を有する塗装処理を施した、請求項１〜７のいずれかに記載の加熱調理器。
【請求項９】
通気カバーに、耐食性に優れた琺瑯処理を施した、請求項１〜７のいずれかに記載の加熱調理器。
【発明の詳細な説明】
【技術分野】
【０００１】
本発明は、トッププレート上に本体内部冷却用の吸気あるいは排気用の開口部を備えた加熱調理器に関するものである。
【背景技術】
【０００２】
従来、この種の加熱調理器は、本体上部に被加熱物である調理鍋を載置するトッププレートを設け、トッププレート上面後方には本体内部を冷却するための空気を吸入する吸気口と、冷却後の空気を排出する排気口を備えており、本体前面には操作ユニットが備えられている。本体内部には加熱手段と、加熱手段を制御する制御ユニットと、加熱手段や制御ユニットなどを冷却するための風路と、風路に冷却風を供給する冷却ファンを備えている。
【０００３】
また、吸気口と排気口を覆うように通気カバーが設けられており、通気カバーには、丸穴やスリット状の通気口が設けられている。
【０００４】
そして、冷却ファンによって通気カバーの通気口を介し吸気口より本体内に吸気された冷却空気は、加熱手段や制御ユニットなどを冷却した後、排気口へと向かい、通気カバーの通気口より本体外へ排気される。
【０００５】
また、通気カバーは、図９で示すように、吸排気によってその表面に空気中の埃や油分が付着したり、調理物の飛散により汚れていくことから、掃除しやすいよう着脱可能としている。
【０００６】
また、通気カバーは、図１０で示すようにそのほぼ全周に外周壁を有しており、外周壁の内面と、トッププレートに設けた防振性材料からなる位置決め部材との嵌合により、トッププレートとの前後左右方向の位置決めを行っている（例えば、特許文献１および特許文献２参照）。
【特許文献１】特開２００２−２８０１５５号公報
【特許文献２】特開２００７−１３４０７０号公報
【発明の開示】
【発明が解決しようとする課題】
【０００７】
しかしながら、前記従来の構成では、通気カバーはトッププレートへ装着する方向が決められているにも関わらず、その形状によっては誤って前後や表裏を逆にした状態で装着される場合があるという課題を有していた。
【０００８】
通気カバーの方向を誤って装着した状態で加熱調理器を使用すると、吸気あるいは排気が不足し本体内部の冷却が不十分となり本体内部が過熱する場合や、通気カバーが所定の装着ではないためトッププレートに対しがたつきが生じ、調理中に耳障りな振動音が発生する場合があるという課題を有していた。
【０００９】
また、近年、外観デザインの向上や掃除性向上のため、通気カバーの形状はより薄くフラットで小型のものが求められる傾向にあり、そのため通気カバーを誤った方向で装着しても形状的に違和感が少なく、誤装着に気づきにくいという課題を有していた。
【００１０】
本発明は、前記従来の課題を解決するもので、通気カバーの装着方向規制のない加熱調理器を提供することを目的とする。
【課題を解決するための手段】
【００１１】
前記従来の課題を解決するために、本発明の加熱調理器は、加熱手段と、前記加熱手段を制御する制御ユニットと、前記制御ユニットを操作する操作ユニットとを備えた本体と、前記本体上部に被加熱物を載置するトッププレートを設け、前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの前後の中心軸に対して回転対称形状とすることにより、装着方向に迷うことなく、容易かつ正確に装着することができる。
【発明の効果】
【００１２】
本発明の加熱調理器は、通気カバーの装着を容易にし、誤装着を防ぐことができる。
【発明を実施するための最良の形態】
【００１３】
第１の発明は、加熱手段と、加熱手段を制御する制御ユニットと、制御ユニットを操作する操作ユニットとを備えた本体と、本体上部に被加熱物を載置するトッププレートを設け、前記加熱手段や前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの前後の中心軸に対して回転対称形状とすることにより、前後方向に反転させても同形状であり、表裏の判別が不要となるため装着が容易となり、トッププレートへの誤装着を防ぐことができる。
【００１４】
第２の発明は、加熱手段と、加熱手段を制御する制御ユニットと、制御ユニットを操作する操作ユニットとを備えた本体と、本体上部に被加熱物を載置するトッププレートを設け、前記加熱手段や前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの左右の中心軸に対して回転対称形状とすることにより、左右方向に反転させても同形状であり、表裏の判別が不要となるため装着が容易となり、トッププレートへの誤装着を防ぐことができる。
【００１５】
第３の発明は、加熱手段と、加熱手段を制御する制御ユニットと、制御ユニットを操作する操作ユニットとを備えた本体と、本体上部に被加熱物を載置するトッププレートを設け、前記加熱手段や前記本体内の部品を冷却するための空気を本体内部へ吸入する吸気口と、冷却後の空気を本体外部へ排出する排気口の両方またはいずれか一方を前記トッププレートの上面後方に開口し、前記吸気口および前記排気口上部を通気口を有する着脱可能な通気カバーで覆い、前記通気カバーの表裏形状を上方から見て前記通気カバーの前後の中心軸に対して回転対称形状とし、かつ、左右の中心軸に対しても回転対称形状とすることにより、前後左右いずれの方向に反転させても同形状であり、表裏の判別なく装着可能となるため、トッププレートへの誤装着を防ぐことができる。
【００１６】
第４の発明は、第１〜３のいずれか１つの発明の加熱調理器の通気カバーをトッププレートに設けた防振性材料からなる位置決め部材に載置し、前記通気カバー四隅の外周縁が前記位置決め部材に嵌合し、前記通気カバーと前記トッププレートとが直接触れない構成としたものであり、方向性のない通気カバーを容易かつ確実に装着することができ、さらに、トッププレートと通気カバーの間に防振性材料を介することにより、トッププレート
と通気カバーの干渉が防げ、干渉による振動音の発生を防ぐことができる。
【００１７】
第５の発明は、第１〜３のいずれか１つの発明の加熱調理器の通気カバーをトッププレートに設けた防振性材料からなる位置決め部材に載置し、前記通気カバーに設けた複数の位置決め孔が前記位置決め部材に設けた複数の位置決め凸部に嵌合し、前記通気カバーと前記トッププレートとが直接触れない構成としたものであり、第２の発明と同様に、方向性のない通気カバーを容易かつ確実に装着することができ、さらに、トッププレートと通気カバーの間に防振性材料を介することにより、トッププレートと通気カバーの干渉が防げ、干渉による振動音の発生を防ぐことができる。
【００１８】
第６の発明は、第１〜５のいずれか１つの発明の加熱調理器の通気カバーの通気口周囲の一部に、他方より上方へ突出する壁を設けたものであり、通気カバー上に調理鍋などを置くと鍋などが不安定となるため、調理鍋などを置かれにくい、また、万一調理鍋などを置かれた場合でも、通気口が閉塞されにくく、吸排気が妨げられるのを抑えることができるため、吸排気量の減少による本体内部の過熱を防ぐことができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における加熱調理器の斜視図を示すものである。図２は、本発明の第１の実施の形態における加熱調理器の主要構成部品を示す分解斜視図である。
【００２１】
図１は、本発明にかかる加熱調理器を示しており、調理器本体１はキッチンのキャビネットの天面に設けた開口部に上から落とし込んで組み込まれる。
【００２２】
本体１の上面にはトッププレート２が配されている。トッププレート２の被加熱物を載置するプレート３には、主に結晶化ガラスが使用されている。また、プレート３の周囲はプレート枠４で囲んで覆われている。トッププレート２の後方で本体１の後部には、外部の空気を本体１内に取り入れるための吸気口５と、本体１内の加熱された空気を外部に排出するための排気口６が形成されている。吸気口５および排気口６上部には通気口７ａを有する通気カバー７が着脱自在に設けられ、通気カバー７は、プレート枠４に係合されたゴムなどの防振性材料からなる位置決め部材８に載置している。
【００２３】
図２において、トッププレート２の下方には加熱手段である誘導加熱コイル９が近接して設けられている。誘導加熱コイル９はコイルケース１０に収納され、本体１内の所定の位置に保持されている。誘導加熱コイル９には制御ユニット１１によって高周波電力が供給され、制御される。本体１前面には操作ユニット１２と、魚等を加熱調理する加熱庫であるグリル１３の開口部１４が併設されている。操作ユニット１２には、外部操作により機器の運転を制御するための信号入力部、及び機器の運転状態を表示する表示部等を有する制御回路等が収納されている。
【００２４】
本体１内部後方には冷却ファン１５が配され、誘導加熱コイル９、制御ユニット１１および操作ユニット１２は冷却ファン１５の送風によって冷却される。冷却用空気は、冷却ファン１５により、通気カバー７の通気口７ａを介して吸気口４から本体１内部へ吸気され、制御ユニット１１、操作ユニット１２、および誘導加熱コイル９等を冷却した後、排気口５から通気口７ａを介して外部へと排出される。また、グリル１３の加熱により発生した熱気も、グリル排気口１６から通気口７ａを介して外部へと排出されるものである。
【００２５】
図３は、本発明の第１の実施の形態における加熱調理器の通気カバー載置構成を示す分解斜視図である。また、図４は、本発明の第１の実施の形態における加熱調理器の通気カバー載置部断面を示すものである。
【００２６】
図３、図４において、通気カバー７の形状は前後、左右、表裏それぞれの方向において対称形状を成しており、通気カバー７四隅の外周縁７ｂが位置決め部材８と接することにより通気カバー７の前後左右方向が位置決めされる。
【００２７】
以上のように構成された加熱調理器について、以下その動作、作用を説明する。
【００２８】
通気カバー７の外周縁７ｂにより、位置決め部材８との前後左右方向の位置決めを行うため、表裏の外形形状を同形状にしても、表裏の区別なく位置決め部材８に載置することができる。また、通気カバー７は位置決め部材８により位置規制されるため、通気カバー７とプレート枠４の干渉が防げ、干渉による振動音の発生を防ぐことができる。
【００２９】
以上のように、本実施の形態においては、通気カバー７を表裏、前後、左右のそれぞれの方向で対称形状とすることができるため、表裏、前後、左右それぞれの方向において、逆向きでの載置が可能となる。すなわち載置方向の判別が不要となるため装着が容易となり、トッププレート２への誤装着を防ぐことができる。
【００３０】
（実施の形態２）
図５は、本発明の第２の実施の形態における加熱調理器の通気カバー載置構成を示す分解斜視図である。また、図６は、本発明の第２の実施の形態における加熱調理器の通気カバー載置部断面を示すものである。
【００３１】
通気カバー７の左右に、前後左右方向の位置決め用である位置決め孔７ｃが設けられている。プレート枠４に係合されたゴムなどの防振性材料からなる位置決め部材８には、通気カバー７の位置決め孔７ｃに対向した位置に位置決め凸部８ａが設けられている。位置決め孔７ｃは位置決め凸部８ａに挿入され、位置決め部材８に通気カバー７が載置される。
【００３２】
以上のように構成された加熱調理器について、以下その動作、作用を説明する。
【００３３】
通気カバー７の左右に設けた位置決め孔７ｃにより、位置決め部材８との前後左右方向の位置決めを行うため、表裏の外形形状を同形状にしても、表裏の区別なく位置決め部材８に載置することができる。また、通気カバー７は位置決め部材８により位置規制されるため、通気カバー７とプレート枠４の干渉が防げ、干渉による振動音の発生を防ぐことができる。
【００３４】
以上のように、本実施の形態においては、通気カバー７を表裏、前後、左右のそれぞれの方向で対称形状とすることができるため、表裏、前後、左右それぞれの方向において、逆向きでの載置が可能となる。すなわち載置方向の判別が不要となるため装着が容易となり、トッププレート２への誤装着を防ぐことができる。
【００３５】
（実施の形態３）
図７は、本発明の第３の実施の形態における加熱調理器の通気カバー載置構成を示す分解斜視図である。また、図８は、本発明の第３の実施の形態における加熱調理器の通気カバー断面を示すものである。
【００３６】
表裏同形状である通気カバー７の一部が通気口７ａの閉塞防止壁７ｄとして、他方より
上下方向に突出している。通気カバー７裏側の閉塞防止壁７ｄの下方側先端は、プレート枠４に干渉しないよう、吸気口５および排気口６に臨んでいる。
【００３７】
以上のように、本実施の形態においては、通気カバー７上に調理鍋１７などを置くと調理鍋１７などが不安定となるため、調理鍋１７などを置かれにくい、また、万一調理鍋１７などを置かれた場合でも、通気口７ａが閉塞されにくく、吸排気が妨げられるのを抑えることができるため、吸排気量の減少による本体１内部の過熱を防ぐことができる。
【産業上の利用可能性】
【００３８】
以上のように、本発明にかかる加熱調理器は、通気カバーの装着を容易にし、誤装着を防ぐことができるものであり、通気カバーを有する誘導加熱調理器やガス調理器など加熱調理器全般に適用できる。
【図面の簡単な説明】
【００３９】
【図１】本発明の第１の実施の形態における加熱調理器の斜視図
【図２】本発明の第１の実施の形態における加熱調理器の主要構成部品を示す分解斜視図
【図３】本発明の第１の実施の形態における加熱調理器の通気カバー載置構成を示す分解斜視図
【図４】本発明の第１の実施の形態における加熱調理器の通気カバー載置部断面図
【図５】本発明の第２の実施の形態における加熱調理器の通気カバー載置構成を示す分解斜視図
【図６】本発明の第２の実施の形態における加熱調理器の通気カバー載置部断面図
【図７】本発明の第３の実施の形態における加熱調理器の通気カバー載置構成を示す分解斜視図
【図８】本発明の第３の実施の形態における加熱調理器の通気カバー断面図
【図９】従来の加熱調理器の通気カバー載置構成を示す分解斜視図
【図１０】従来の加熱調理器の通気カバー断面図
【符号の説明】
【００４０】
１  本体
２  トッププレート
５  吸気口
６  排気口
７  通気カバー
７ａ  通気口
７ｂ  外周縁
７ｃ  位置決め孔
７ｄ  閉塞防止壁（壁）
８  位置決め部材
８ａ  位置決め凸部
９  誘導加熱コイル（加熱手段）
１１  制御ユニット
１２  操作ユニット
【図１】
2009301990.tif 000003
【図２】
2009301990.tif 000004
【図３】
2009301990.tif 000005
【図４】
2009301990.tif 000006
【図５】
2009301990.tif 000007
【図６】
2009301990.tif 000008
【図７】
2009301990.tif 000009
【図８】
2009301990.tif 000010
【図９】
2009301990.tif 000011
【図１０】
2009301990.tif 000012